(57)【特許請求の範囲】
【請求項１】
動画又は静止画を含む複数の画像を表示する画像表示装置であって、
前記複数の画像の各々の一部の範囲を表示可能な表示部と、
ユーザの動作又はユーザによる操作に応じた信号を入力する情報入力部と、
前記情報入力部から入力される信号に基づいて、前記表示部に表示させる画像のうち、前記表示部に表示させる範囲である表示範囲を設定する表示範囲設定部と、
前記情報入力部から、前記表示部に表示させる画像を切り替える旨の指示を表す信号が入力された際に、前記表示部に表示されていた画像の表示状態を表す情報を、履歴情報として記憶する履歴情報記憶部と、
前記画像を切り替える旨の指示に従い、前記表示部に表示させる画像を切り替える画像切替部と、
を備え、
前記表示範囲設定部は、
前記情報入力部から、前記表示部に表示させる画像を、既に表示されたことのある第１の画像に戻す旨の画像切り替えの指示を表す信号が入力された場合、前記履歴情報記憶部に記憶された前記履歴情報に基づいて、画像切り替え後における前記第１の画像の表示範囲を、前記表示部に表示されていた前記第１の画像が別の画像に切り替えられる直前の前記第１の画像における表示範囲と一致するように設定し、
前記情報入力部から、前記表示部に表示させる画像を、未だ前記履歴情報記憶部に履歴情報が記憶されていない第２の画像に切り替える旨の指示を表す信号が入力された場合、該第２の画像において予め設定された基準座標をもとに、画像切り替え後における前記第２の画像の表示範囲を設定し、
前記情報入力部から随時入力される信号に基づいて、前記表示部に表示されている画像における基準座標に対する当該画像の表示範囲の位置を変化させ、
前記履歴情報記憶部は、前記表示部に表示されている画像における基準座標に対する表示範囲の変位を、前記履歴情報として記憶する、画像表示装置。
【請求項２】
前記複数の画像のうちの互いに異なる第３及び第４の画像に共通のタグが付与され、
前記第３の画像が前記表示部に表示されている間、該第３の画像に付与されたタグ又は該タグが付与されている旨を示す情報を前記第３の画像に重畳して表示させるタグ表示設定部をさらに備え、
前記情報入力部から、前記タグ又は該タグが付与されている旨を示す情報を選択する信号が入力された場合、前記画像切替部は、前記表示部に表示させる画像を前記第４の画像に切り替える、
請求項１に記載の画像表示装置。
【請求項３】
動画又は静止画を含む複数の画像を表示する画像表示装置であって、
前記複数の画像の各々の一部の範囲を表示可能な表示部と、
ユーザの動作又はユーザによる操作に応じた信号を入力する情報入力部と、
前記情報入力部から入力される信号に基づいて、前記表示部に表示させる画像のうち、前記表示部に表示させる範囲である表示範囲を設定する表示範囲設定部と、
前記情報入力部から、前記表示部に表示させる画像を切り替える旨の指示を表す信号が入力された際に、前記表示部に表示されていた画像の表示状態を表す情報を、履歴情報として記憶する履歴情報記憶部と、
前記画像を切り替える旨の指示に従い、前記表示部に表示させる画像を切り替える画像切替部と、
を備え、
前記情報入力部から、前記表示部に表示させる画像を、既に表示された画像に戻す旨の画像切り替えの指示を表す信号が入力された場合、前記表示範囲設定部は、前記履歴情報記憶部に記憶された前記履歴情報に基づいて、画像切り替え後における前記既に表示された画像の表示範囲を、前記表示部に表示されていた前記既に表示された画像が別の画像に切り替えられる直前の前記既に表示されていた画像における前記表示範囲と一致するように設定し、
前記複数の画像に含まれる一の動画を構成する複数のフレームのうち、互いに離れた第１群及び第２群のフレームに共通のタグが付与され、
前記第１群のフレームが前記表示部に表示されている間、該第１群のフレームに付与されたタグ又は該タグが付与されている旨を示す情報を前記第１群のフレームに重畳して表示させるタグ表示設定部をさらに備え、
前記情報入力部から、前記タグ又は該タグが付与されている旨を示す情報を選択する信号が入力された場合、前記画像切替部は、前記表示部に表示させる画像を前記第２群のフレームに切り替える、画像表示装置。
【請求項４】
動画又は静止画を含む複数の画像を表示する画像表示装置が実行する画像処理方法であって、
前記画像表示装置は、
前記複数の画像の各々の一部の範囲を表示可能な表示部と、
ユーザの動作又はユーザによる操作に応じた信号を入力する情報入力部と、
を備え、
前記情報入力部から入力される信号に基づいて、前記表示部に表示させる画像のうち、前記表示部に表示させる範囲である表示範囲を設定するステップ（ａ）と、
前記情報入力部から、前記表示部に表示させる画像を切り替える旨の指示を表す信号が入力された際に、前記表示部に表示されていた画像の表示状態を表す情報を、履歴情報として記憶するステップ（ｂ）と、
前記画像を切り替える旨の指示に従い、前記表示部に表示させる画像を切り替えるステップ（ｃ）と、
を含み、
ステップ（ａ）は、
前記情報入力部から、前記表示部に表示させる画像を、既に表示されたことのある第１の画像に戻す旨の画像切り替えの指示を表す信号が入力された場合、ステップ（ｂ）において記憶された前記履歴情報に基づいて、画像切り替え後における前記第１の画像の表示範囲を、前記表示部に表示されていた前記第１の画像が別の画像に切り替えられる直前の前記第１の画像における表示範囲と一致するように設定し、
前記情報入力部から、前記表示部に表示させる画像を、未だ履歴情報が記憶されていない第２の画像に切り替える旨の指示を表す信号が入力された場合、該第２の画像において予め設定された基準座標をもとに、画像切り替え後における前記第２の画像の表示範囲を設定し、
前記情報入力部から随時入力される信号に基づいて、前記表示部に表示されている画像における基準座標に対する当該画像の表示範囲の位置を変化させ、
前記表示部に表示されている画像における基準座標に対する表示範囲の変位を、前記履歴情報として記憶するステップをさらに含む、画像表示方法。
【請求項５】
動画又は静止画を含む複数の画像を表示する画像表示装置が実行する画像処理方法であって、
前記画像表示装置は、
前記複数の画像の各々の一部の範囲を表示可能な表示部と、
ユーザの動作又はユーザによる操作に応じた信号を入力する情報入力部と、
を備え、
前記情報入力部から入力される信号に基づいて、前記表示部に表示させる画像のうち、前記表示部に表示させる範囲である表示範囲を設定するステップ（ａ）と、
前記情報入力部から、前記表示部に表示させる画像を切り替える旨の指示を表す信号が入力された際に、前記表示部に表示されていた画像の表示状態を表す情報を、履歴情報として記憶するステップ（ｂ）と、
前記画像を切り替える旨の指示に従い、前記表示部に表示させる画像を切り替えるステップ（ｃ）と、
を含み、
ステップ（ａ）は、前記情報入力部から、前記表示部に表示させる画像を、既に表示された画像に戻す旨の画像切り替えの指示を表す信号が入力された場合、ステップ（ｂ）において記憶された前記履歴情報に基づいて、画像切り替え後における前記既に表示された画像の表示範囲を、前記表示部に表示されていた前記既に表示された画像が別の画像に切り替えられる直前の前記既に表示されていた画像における前記表示範囲と一致するように設定し、
前記複数の画像に含まれる一の動画を構成する複数のフレームのうち、互いに離れた第１群及び第２群のフレームに共通のタグが付与され、
前記第１群のフレームが前記表示部に表示されている間、該第１群のフレームに付与されたタグ又は該タグが付与されている旨を示す情報を前記第１群のフレームに重畳して表示させるステップをさらに含み、
ステップ（ｃ）は、前記情報入力部から、前記タグ又は該タグが付与されている旨を示す情報を選択する信号が入力された場合、前記表示部に表示させる画像を前記第２群のフレームに切り替える、画像表示方法。
【請求項６】
動画又は静止画を含む複数の画像を表示する画像表示装置が有するプロセッサに実行させる画像表示プログラムであって、
前記画像表示装置は、
前記複数の画像の各々の一部の範囲を表示可能な表示部と、
ユーザの動作又はユーザによる操作に応じた信号を入力する情報入力部と、
を備え、
前記情報入力部から入力される信号に基づいて、前記表示部に表示させる画像のうち、前記表示部に表示させる範囲である表示範囲を設定するステップ（ａ）と、
前記情報入力部から、前記表示部に表示させる画像を切り替える旨の指示を表す信号が入力された際に、前記表示部に表示されていた画像の表示状態を表す情報を、履歴情報として記憶するステップ（ｂ）と、
前記画像を切り替える旨の指示に従い、前記表示部に表示させる画像を切り替えるステップ（ｃ）と、
を実行させ、
ステップ（ａ）は、
前記情報入力部から、前記表示部に表示させる画像を、既に表示されたことのある第１の画像に戻す旨の画像切り替えの指示を表す信号が入力された場合、ステップ（ｂ）において記憶された前記履歴情報に基づいて、画像切り替え後における前記第１の画像の表示範囲を、前記表示部に表示されていた前記第１の画像が別の画像に切り替えられる直前の前記第１の画像における表示範囲と一致するように設定し、
前記情報入力部から、前記表示部に表示させる画像を、未だ履歴情報が記憶されていない第２の画像に切り替える旨の指示を表す信号が入力された場合、該第２の画像において予め設定された基準座標をもとに、画像切り替え後における前記第２の画像の表示範囲を設定し、
前記情報入力部から随時入力される信号に基づいて、前記表示部に表示されている画像における基準座標に対する当該画像の表示範囲の位置を変化させ、
前記表示部に表示されている画像における基準座標に対する表示範囲の変位を、前記履歴情報として記憶するステップをさらに実行させる、画像表示プログラム。
【請求項７】
動画又は静止画を含む複数の画像を表示する画像表示装置が有するプロセッサに実行させる画像表示プログラムであって、
前記画像表示装置は、
前記複数の画像の各々の一部の範囲を表示可能な表示部と、
ユーザの動作又はユーザによる操作に応じた信号を入力する情報入力部と、
を備え、
前記情報入力部から入力される信号に基づいて、前記表示部に表示させる画像のうち、前記表示部に表示させる範囲である表示範囲を設定するステップ（ａ）と、
前記情報入力部から、前記表示部に表示させる画像を切り替える旨の指示を表す信号が入力された際に、前記表示部に表示されていた画像の表示状態を表す情報を、履歴情報として記憶するステップ（ｂ）と、
前記画像を切り替える旨の指示に従い、前記表示部に表示させる画像を切り替えるステップ（ｃ）と、
を実行させ、
ステップ（ａ）は、前記情報入力部から、前記表示部に表示させる画像を、既に表示された画像に戻す旨の画像切り替えの指示を表す信号が入力された場合、ステップ（ｂ）において記憶された前記履歴情報に基づいて、画像切り替え後における前記既に表示された画像の表示範囲を、前記表示部に表示されていた前記既に表示された画像が別の画像に切り替えられる直前の前記既に表示されていた画像における前記表示範囲と一致するように設定し、
前記複数の画像に含まれる一の動画を構成する複数のフレームのうち、互いに離れた第１群及び第２群のフレームに共通のタグが付与され、
前記第１群のフレームが前記表示部に表示されている間、該第１群のフレームに付与されたタグ又は該タグが付与されている旨を示す情報を前記第１群のフレームに重畳して表示させるステップをさらに実行させ、
ステップ（ｃ）は、前記情報入力部から、前記タグ又は該タグが付与されている旨を示す情報を選択する信号が入力された場合、前記表示部に表示させる画像を前記第２群のフレームに切り替える、画像表示プログラム。
【発明の詳細な説明】
【技術分野】
【０００１】
本発明は、画像表示装置、画像表示方法及び画像表示プログラムに関する。
【背景技術】
【０００２】
近年、撮影地点の周囲３６０°の被写体が写った画像（所謂全天球画像）が、ゲームなどのエンターテイメント分野の他、観光案内や不動産の内覧などのビジネス分野でも広く活用されるようになっている。全天球画像は、一般的な２次元ディスプレイにパノラマ表示されたり、仮想現実（バーチャルリアリティ：ＶＲ）のコンテンツに加工されて３次元的に表示されたりする。例えば、ヘッドマウントディスプレイ（以下、「ＨＭＤ」とも記す）と呼ばれるメガネ型又はゴーグル型の表示装置に、全天球画像の一部を表示させ、ＨＭＤを装着したユーザの頭の動きに合わせて、画面に表示させる画像の範囲を変化させることにより、ユーザはあたかも、表示された画像の空間内に入り込んだような感覚を得ることができる。【０００３】
全天球画像の表示に関連する技術として、特許文献１には、球面全方位カメラにより撮像された球面全方位動画を、ジャイロセンサを有する画像再生装置により再生する際の画像再生方法であって、再生中に、視聴者の視線に応じて、視線先に映像に対応したイベントを起動する画像再生方法が開示されている。
【先行技術文献】
【特許文献】
【０００４】
【特許文献１】特開２０１６−１３４７４２号公報
【発明の概要】
【発明が解決しようとする課題】
【０００５】
全天球画像などの画角の広い画像をパノラマ表示又はＶＲ表示する場合、一般的な画像表示装置においては、全天球画像の一部の範囲（以下、表示範囲ともいう）が画面に表示され、ユーザの操作やユーザの動きに合わせて表示範囲が変化する。この表示範囲としては、全天球画像を新規に表示したり別の全天球画像に切り替えたりする際には、予め初期設定された範囲が最初に設定される。従って、ユーザが、ある画像が表示されている状態から別の画像に表示を切り替え、その後、直前の画像など、既に表示された画像に表示を戻す操作を行った場合、当該直前の画像は初期設定された表示範囲から表示が再開される。そのため、ユーザは、直前に見ていた画像と同じ画像が画面に表示されているにもかかわらず、一時的に、何の画像を見ているのかわからなくなり、戸惑ってしまうことがある。【０００６】
本発明は上記に鑑みてなされたものであって、画像内の一部の範囲を画面に表示させる画像表示装置において、画面に表示させる画像を切り替えた後、既に表示された画像に戻って表示を再開する場合であっても、ユーザが戸惑うことなく、自然な感覚で画像の鑑賞を続けることができる画像表示装置、画像表示方法及びプログラムを提供することを目的とする。
【課題を解決するための手段】
【０００７】
上記課題を解決するために、本発明の一態様である画像表示装置は、動画又は静止画を含む複数の画像を表示する画像表示装置であって、前記複数の画像の各々の一部の範囲を表示可能な表示部と、ユーザの動作又はユーザによる操作に応じた信号を入力する情報入力部と、前記情報入力部から入力される信号に基づいて、前記表示部に表示させる画像のうち、前記表示部に表示させる範囲である表示範囲を設定する表示範囲設定部と、前記情報入力部から、前記表示部に表示させる画像を切り替える旨の指示を表す信号が入力された際に、前記表示部に表示されていた画像の表示状態を表す情報を、履歴情報として記憶する履歴情報記憶部と、前記画像を切り替える旨の指示に従い、前記表示部に表示させる画像を切り替える画像切替部と、を備え、前記情報入力部から、前記表示部に表示させる画像を、既に表示された画像に戻す旨の指示を表す信号が入力された場合、前記表示範囲設定部は、前記履歴情報記憶部に記憶された前記履歴情報に基づいて、前記既に表示された画像における前記表示範囲を設定するものである。【０００８】
上記画像表示装置において、前記表示範囲設定部は、前記情報入力部から、前記表示部に表示させる画像を、前記履歴情報記憶部に履歴情報が記憶されていない画像に切り替える旨の指示を表す信号が入力された場合、該履歴情報が記憶されていない画像において予め設定された基準座標をもとに前記表示範囲を設定すると共に、前記情報入力部から随時入力される信号に基づいて、前記基準座標に対する前記表示範囲の位置を変化させ、前記履歴情報記憶部は、前記基準座標に対する前記表示範囲の変位を、前記履歴情報として記憶しても良い。【０００９】
上記画像表示装置において、前記複数の画像のうちの互いに異なる第１及び第２の画像に共通のタグが付与され、前記第１の画像が前記表示部に表示されている間、該第１の画像に付与されたタグ又は該タグが付与されている旨を示す情報を前記第１の画像に重畳して表示させるタグ表示設定部をさらに備え、前記情報入力部から、前記タグ又は該タグが付与されている旨を示す情報を選択する信号が入力された場合、前記画像切替部は、前記表示部に表示させる画像を前記第２の画像に切り替えても良い。【００１０】
上記画像表示装置において、前記複数の画像に含まれる一の動画を構成する複数のフレームのうち、互いに離れた第１群及び第２群のフレームに共通のタグが付与され、前記第１群のフレームが前記表示部に表示されている間、該第１群のフレームに付与されたタグ又は該タグが付与されている旨を示す情報を前記第１群のフレームに重畳して表示させるタグ表示設定部をさらに備え、前記情報入力部から、前記タグ又は該タグが付与されている旨を示す情報を選択する信号が入力された場合、前記画像切替部は、前記表示部に表示させる画像を前記第２群のフレームに切り替えても良い。【００１１】
本発明の別の態様である画像処理方法は、動画又は静止画を含む複数の画像を表示する画像表示装置が実行する画像処理方法であって、前記画像表示装置は、前記複数の画像の各々の一部の範囲を表示可能な表示部と、ユーザの動作又はユーザによる操作に応じた信号を入力する情報入力部と、を備え、前記情報入力部から入力される信号に基づいて、前記表示部に表示させる画像のうち、前記表示部に表示させる範囲である表示範囲を設定するステップ（ａ）と、前記情報入力部から、前記表示部に表示させる画像を切り替える旨の指示を表す信号が入力された際に、前記表示部に表示されていた画像の表示状態を表す情報を、履歴情報として記憶するステップ（ｂ）と、前記画像を切り替える旨の指示に従い、前記表示部に表示させる画像を切り替えるステップ（ｃ）と、を含み、ステップ（ａ）は、前記情報入力部から、前記表示部に表示させる画像を、既に表示された画像に戻す旨の指示を表す信号が入力された場合、ステップ（ｂ）において記憶された前記履歴情報に基づいて、前記既に表示された画像における前記表示範囲を設定するものである。【００１２】
本発明の別のさらに態様である画像表示プログラムは、動画又は静止画を含む複数の画像を表示する画像表示装置に実行させる画像表示プログラムであって、前記画像表示装置は、前記複数の画像の各々の一部の範囲を表示可能な表示部と、ユーザの動作又はユーザによる操作に応じた信号を入力する情報入力部と、を備え、前記情報入力部から入力される信号に基づいて、前記表示部に表示させる画像のうち、前記表示部に表示させる範囲である表示範囲を設定するステップ（ａ）と、前記情報入力部から、前記表示部に表示させる画像を切り替える旨の指示を表す信号が入力された際に、前記表示部に表示されていた画像の表示状態を表す情報を、履歴情報として記憶するステップ（ｂ）と、前記画像を切り替える旨の指示に従い、前記表示部に表示させる画像を切り替えるステップ（ｃ）と、を実行させ、ステップ（ａ）は、前記情報入力部から、前記表示部に表示させる画像を、既に表示された画像に戻す旨の指示を表す信号が入力された場合、ステップ（ｂ）において記憶された前記履歴情報に基づいて、前記既に表示された画像における前記表示範囲を設定するものである。
【発明の効果】
【００１３】
本発明によれば、表示部に表示させる画像を切り替える際に、それまで表示されていた画像の表示状態を表す情報を履歴情報として記憶し、表示部に表示させる画像を既に表示された画像に戻す際に、当該既に表示された画像における表示範囲を履歴情報に基づいて設定するので、当該既に表示された画像をユーザにとって見覚えのある範囲から表示することができる。従って、ユーザは、戸惑うことなく、自然な感覚で画像の鑑賞を続けることが可能となる。
【図面の簡単な説明】
【００１４】
【図１】本発明の第１の実施形態に係る画像表示装置の概略構成を示すブロック図である。
【図２】図１に示す画像データ記憶部に記憶されている画像ファイルの関係を説明するための模式図である。
【図３Ａ】表示範囲の設定方法を説明するための模式図である。
【図３Ｂ】表示範囲の設定方法を説明するための模式図である。
【図４】図１に示す画像表示装置の動作を示すフローチャートである。
【図５】図１に示す画像表示装置の動作を示すフローチャートである。
【図６】不動産物件の間取りを例示する模式図である。
【図７】図１に示す画像表示装置に表示される画像を例示する模式図である。
【図８】図１に示す画像表示装置に表示される画像を例示する模式図である。
【図９】図１に示す画像表示装置に表示される画像を例示する模式図である。
【図１０】本発明の第２の実施形態に係る画像表示装置の概略構成を示すブロック図である。
【図１１】図１０に示す画像表示装置をユーザに装着させた状態を示す模式図である。
【図１２】図１０に示す画像表示装置に表示される画面の一例を示す模式図である。
【発明を実施するための形態】
【００１５】
以下、本発明の実施形態に係る画像表示装置、画像表示方法及び画像表示プログラムについて、図面を参照しながら説明する。なお、これらの実施形態によって本発明が限定されるものではない。また、各図面の記載において、同一部分には同一の符号を付して示している。
【００１６】
（第１の実施形態）
図１は、本発明の第１の実施形態に係る画像表示装置の概略構成を示すブロック図である。本実施形態に係る画像表示装置１０は、例えば、パーソナルコンピュータ、ノートＰＣ、タブレット端末、スマートフォン、携帯型ゲーム機など汎用の端末装置によって構成される。図１に示すように、画像表示装置１０は、通信インタフェース１１と、表示部１２と、操作入力部１３と、記憶部１４と、各種演算処理を行うプロセッサ１５と、を備える。
【００１７】
通信インタフェース１１は、当該画像表示装置１０をインターネット、ＬＡＮ、電気通信回線等の通信ネットワークに接続し、通信ネットワークに接続された他の機器との間で情報の送受信を行う。通信インタフェース１１は、例えばソフトモデム、ケーブルモデム、無線モデム、ＡＤＳＬモデム等を用いて構成される。
【００１８】
表示部１２は、例えば液晶又は有機ＥＬ（エレクトロルミネッセンス）によって形成された表示パネル及び駆動部を含むディスプレイである。表示部１２は、パーソナルコンピュータの本体に外付けされるディスプレイであっても良いし、ノートＰＣやタブレット端末などに内蔵されるディスプレイであっても良い。
【００１９】
操作入力部１３は、操作ボタン、キーボード、マウス、表示部１２上に設けられたタッチパネル等の入力デバイスであり、外部からなされる操作に応じた信号をプロセッサ１５に入力する。つまり、操作入力部１３は、ユーザによる操作に応じた情報を入力する情報入力部として機能する。
【００２０】
記憶部１４は、例えばＲＯＭやＲＡＭといった半導体メモリ等のコンピュータ読取可能な記憶媒体である。記憶部１４は、オペレーティングシステムプログラム及びドライバプログラムに加えて、各種機能を実行するアプリケーションプログラムや、これらのプログラムの実行中に使用される各種パラメータ等を記憶する。詳細には、記憶部１４は、これらのプログラム等を記憶するプログラム記憶部１４１と、画像データを記憶する画像データ記憶部１４２と、履歴情報記憶部１４３とを有する。この他、記憶部１４は、画像を表示する際に共に出力される音声など、各種コンテンツのデータを記憶しても良い。
【００２１】
画像データ記憶部１４２は、表示部１２に表示される複数の画像（動画又は静止画）の画像データ（画像ファイル）を記憶する。画像データは、通信ケーブルや可搬型の記憶媒体を介して予め画像表示装置１０に読み込まれたものであっても良いし、通信インタフェース１１を介して随時読み込まれたものであっても良い。
【００２２】
表示部１２に表示される動画又は静止画は、撮影地点の周囲３６０°の被写体が写った画像（所謂全天球画像）であっても良いし、魚眼レンズや広角レンズ（又は超広角レンズ）を用いて撮影された画角の広い（例えば、画角が２００°以上の）画像であっても良い。或いは、動画と静止画とで、１つの画像に収める被写体の範囲を変えても良い。ここで、静止している人の一般的な視野角度は左右に１８０°程度（片側９０°程度）であるが、運動（例えば歩行）している場合には、視野の中心領域以外（左右の端部など）の視認性が低下する。そこで、動画については、ユーザの移動方向を中心とする所定範囲のみが写った画像とし、静止画については、ユーザが立ち止まって振り返り、周りを見渡すといった動作を考慮して全天球画像とするなどとしても良い。
【００２３】
図２は、画像データ記憶部１４２に記憶される画像ファイルの関係を説明するための模式図である。画像データ記憶部１４２には、複数のフレームＩA(1)、ＩA(2)、…、ＩB(1)、ＩB(2)、…からなる動画ＩA、ＩBの画像ファイルや、静止画ＩC、ＩDの画像ファイルが記憶されている。これらの画像ファイルには、異なる画像同士を紐付けるためのマーキング処理（タグを付与する処理）が施されている。例えば、動画ＩAの一部のフレームＩA(t1)〜ＩA(t1+5)にはタグＴ01が付与されており、動画ＩBの先頭のフレームＩB(1)にも、同じタグＴ01が付与されている。これにより、動画ＩA内のフレームＩA(t1)〜ＩA(t1+5)と動画ＩBとが紐付けれられる。また、動画ＩA内のフレームＩA(t3)〜ＩA(t3+6)にはタグＴ03が付与されており、静止画ＩCにも同じタグＴ03が紐付けられている。これにより、動画ＩA内のフレームＩA(t3)〜ＩA(t3+6)と静止画ＩCとが紐付けれられる。タグとしては、撮影場所の名称や、撮影場所の位置情報など、任意の情報を用いることができる。
【００２４】
タグによる画像の紐付けは、異なる動画の間（例えば動画ＩAと動画ＩB）で行っても良いし、動画と静止画の間（例えば動画ＩAと静止画ＩC）で行っても良いし、静止画と静止画の間で行っても良い。例えば、静止画ＩCと静止画ＩDには同じタグＴ04が付与されている。これにより、静止画ＩCと静止画ＩDとが紐付けられる。さらには、同じ動画中の互いに離れたフレームをタグによって紐付けても良い。例えば、動画ＩA内のフレームＩA(t2)〜ＩA(t2+2)及びフレームＩA(t4)には、同じタグＴ02が付与されている。これにより、フレームＩA(t2)〜ＩA(t2+2)とフレームＩA(t4)とが紐付けられる。
【００２５】
履歴情報記憶部１４３は、表示部１２に表示させる画像を切り替える旨の指示が入力された際に、表示部１２に表示中の画像に関する情報である履歴情報を記憶する。履歴情報には、表示部１２に表示されていた画像を特定する情報（画像番号や動画内のフレーム番号。以下、画像識別情報ともいう）と、表示部１２における画像の表示状態を表す情報（以下、状態情報ともいう）とが含まれる。状態情報については後で詳述する。
【００２６】
プロセッサ１５は、例えばＣＰＵ（Central  Processing  Unit）やＧＰＵ（Graphics  Processing  Unit）を用いて構成され、プログラム記憶部１４１に記憶された各種プログラムを読み込むことにより、画像表示装置１０の各部を統括的に制御すると共に、種々の画像を表示するための各種演算処理を実行する。
【００２７】
詳細には、プロセッサ１５は、プログラム記憶部１４１に記憶された画像表示プログラムを読み込むことにより、画像データ記憶部１４２に記憶された画像データに基づいて表示部１２に画像を表示させ、ユーザに鑑賞させるための各種機能を実行する。プロセッサ１５が画像表示プログラムを読み込むことにより実現される機能部には、指示受付部１５１と、表示制御部１５２とが含まれる。指示受付部１５１は、操作入力部１３から入力される信号を受け付け、該信号に応じた指示を表示制御部１５２に入力する。表示制御部１５２は、指示受付部１５１から入力される指示に従って、表示部１２における画像表示を制御する。詳細には、表示制御部１５２は、表示範囲設定部１５３と、画像切替部１５４と、タグ表示設定部１５５とを含む。
【００２８】
表示範囲設定部１５３は、画像データ記憶部１４２に記憶された画像データに基づく画像のうち、表示部１２に一度に表示させる範囲（以下、表示範囲という）を設定する。例えば、表示させる画像が全天球画像である場合、表示部１２に全天球画像全体を一度に表示させるのではなく、人の一般的な視野を考慮して、ユーザが不自然に感じない範囲（例えば、水平方向の画角が１８０°以下の範囲）を表示範囲として全天球画像から抽出し、表示部１２に表示させる。
【００２９】
図３Ａ及び図３Ｂは、表示範囲の設定方法を説明するための模式図である。図３Ａ及び図３Ｂにおいては、中心点Ｐ１を中心とする天球面に全天球画像である画像Ｉ1を投影し、且つ、天球面を水平方向にカットしたものを上面から見た状態が示されている。以下、天球面における方位角をφ、仰俯角をθ（図示せず）とする。
【００３０】
画像Ｉ1のうち、表示部１２に表示される表示範囲Ｖ（実線部分）の大きさは、例えば、方位角の方向で１８０°の範囲（φ0＝１８０°）、仰俯角の方向で１２０°の範囲（θ0＝１２０°）などというように、固定値が設定されている。この設定は、ユーザが変更できるようにしても良い。
【００３１】
これに対し、画像Ｉ1における表示範囲Ｖの位置は、操作入力部１３から入力される信号に従って変更可能である。詳細には、画像Ｉ1に関する履歴情報が履歴情報記憶部１４３に記憶されていないとき、表示範囲設定部１５３は、まず、表示範囲Ｖの基準点（例えば中心点）Ｐ３が、画像Ｉ1に対して予め設定されている基準座標Ｐ２と一致するように、表示範囲Ｖの位置を初期設定する（図３Ａ参照）。その後、ユーザ１が、操作入力部１３（図１参照）を用いて表示範囲Ｖを変化させる操作を行うと、表示範囲設定部１５３は、当該操作に応じた分だけ、表示範囲Ｖの基準点Ｐ３を移動させる（図３Ｂ参照）。これにより、表示範囲Ｖの位置がシフトし、新たに表示範囲Ｖとして設定された画像Ｉ1内の領域が表示部１２に表示される。表示範囲Ｖの位置は、画像Ｉ1の基準座標Ｐ２に対する表示範囲Ｖの基準点Ｐ３の変位として表される。言い換えると、天球面の中心点Ｐ１から基準点Ｐ３に向かうベクトルｕ’の向きの変化（Δφ，Δθ）により表される。このベクトルｕ’は、天球面の中心点Ｐ１にユーザ１がいると仮想的に設定した場合のユーザの視線方向ｕに相当する。
【００３２】
上述した履歴情報記憶部１４３に記憶される履歴情報のうちの状態情報は、画像Ｉ1の基準座標Ｐ２に対する表示範囲Ｖの基準点Ｐ３の変位、即ち、ベクトルｕ’の向きの変化（Δφ，Δθ）によって表される。
【００３３】
画像切替部１５４は、指示受付部１５１から入力される指示に従って、表示部１２に表示させる画像を切り替える。詳細には、当該指示が入力された際に表示されていた画像と紐付けられた画像（図２参照）を抽出し、画像ファイルを開いて表示させる。なお、画像の切り替え直後の表示範囲Ｖは、初期設定された位置に設定される（図３Ａ参照）。
【００３４】
タグ表示設定部１５５は、表示部１２に表示される画像に対し、当該画像（静止画又は動画内のフレーム）に付与されているタグや、タグが付与されていることを示すアイコンを重畳して表示させる。
【００３５】
次に、画像表示装置１０の動作について説明する。以下においては、一例として、不動産物件の内部を写した画像（静止画及び動画）をパノラマ表示する場合を説明する。図４及び図５は、画像表示装置１０の動作を示すフローチャートである。図６は、不動産物件の間取りを例示する模式図である。図７〜図９は、画像表示装置１０に表示される画像を例示する模式図である。なお、画像表示装置１０に表示する画像の画像ファイルは、画像データ記憶部１４２に予め保存しておいても良いし、通信ネットワークを介して画像表示装置１０と接続されたサーバに保存し、随時読み出すようにしても良い。
【００３６】
以下においては、図６に示すように、動画撮影ルートＲ１に沿って動画撮影を行い、静止画撮影ポイントＰ１及びＰ２において静止画撮影を行ったものとする。動画撮影ルートＲ１に沿って撮影された動画のうち、マーキングポイントＭ１近傍が写ったフレームは、洗面所が写った動画と、共通のタグにより紐付けられている。マーキングポイントＭ２近傍が写ったフレームには、リビングダイニングキッチン（ＬＤＫ）が写った静止画と、共通のタグにより紐付けられている。マーキングポイントＭ３近傍が写ったフレームは、ベランダの外の景色が写った静止画と、共通のタグにより紐付けられている。さらに、静止画撮影ポイントＰ１、Ｐ２において撮影された静止画同士も、共通のタグにより紐付けられている。
【００３７】
まず、ステップＳ１００において、画像表示装置１０は、動画の画像ファイルを開き、動画の再生を行う。例えば、動画撮影ルートＲ１を写した動画を再生する場合、図７に示すように、まず、玄関から廊下を臨むシーンＩm（１）が表示部１２に表示される。その後、動画の再生を継続すると、ＬＤＫのシーンＩm（２）、ベランダのシーンＩm（３）などが順次表示部１２に表示されることになる。
【００３８】
動画の再生が開始された当初、表示部１２に表示される表示範囲Ｖは初期設定された状態、即ち、表示される画像の基準座標Ｐ２と表示範囲Ｖの基準点Ｐ３とが一致した状態となる（図３Ａ参照）。それに対し、操作入力部１３から表示範囲Ｖを変化させる指示を表す信号が入力されると、表示範囲Ｖが移動する（図３Ｂ参照）。表示範囲Ｖを変化させるための操作としては、画面内の任意の位置をマウスでクリック又はタップする操作であっても良いし、画面内に表示されたアイコンをクリック又はタップする操作であっても良い。ユーザは、操作入力部１３を用いて、画像内の所望の方向を見ながら鑑賞を進めることができる。
【００３９】
続くステップＳ１０１において、画像表示装置１０は、動画の再生を開始してから現在に至るまでの時間（再生時間）、言い換えると、動画のフレーム番号を取得する。
【００４０】
続くステップＳ１０２において、画像表示装置１０は、直前に表示されていた画像に戻る指示が入力されたか否かを判定する。例えば、表示部１２の画面に対する操作入力部１３を用いた所定のポインタ操作（クリック操作、タップ操作等）や、特定の操作ボタンやキーを押す操作が行われた場合、画像表示装置１０は、直前の画像に戻る指示が入力されたと判定する。直前の画像に戻る指示が入力された場合（ステップＳ１０２：Ｙｅｓ）、処理は後述するステップＳ１３０に移行する。他方、直前の画像に戻る指示が入力されない場合（ステップＳ１０２：Ｎｏ）、処理はステップＳ１０３に移行する。
【００４１】
ここで、直前に表示されていた画像とは、現在表示中の画像が表示される前に表示部１２に表示されていた画像のことであり、現在表示中の画像とは別の画像（動画又は静止画）の他、現在表示中の動画においてフレームがスキップされた場合にはスキップ前のフレームも含まれる。なお、画像表示装置１０において一度も画像の切替え、即ち、画像ファイルが異なる画像の表示や、動画におけるフレームのスキップが行われていない場合には、ステップＳ１０２の判定は省略される。
【００４２】
ステップＳ１０３において、画像表示装置１０は、現在の再生時間が、マーキングされたフレームの再生時間内であるか否かを判定する。つまり、現在表示しているフレームにタグが付与されているか否かを判定する。マーキングされたフレームの再生時間内でない場合（ステップＳ１０３：Ｎｏ）、処理はステップＳ１１９に移行する。
【００４３】
ステップＳ１１９において、画像表示装置１０は画像の表示を終了するか否かを判断する。例えば、表示中のＶＲ動画が最終フレームに至る、操作入力部１３を用いて画像の表示を終了させるための所定の操作がなされる、といった場合には、画像の表示を終了すると判断する。画像の表示を終了すると判断した場合（ステップＳ１１９：Ｙｅｓ）、画像表示装置１０は画像の表示を終了させる。他方、画像の表示を終了しないと判断した場合（ステップＳ１１９：Ｎｏ）、処理はステップＳ１００に戻る。例えば、表示中のＶＲ動画がまだ最終フレームに至っていない場合には（ステップＳ１１９：Ｎｏ）、ＶＲ動画の再生が継続される（ステップＳ１００）。
【００４４】
他方、現在の再生時間が、マーキングされたフレームの再生時間内である場合（ステップＳ１０３：Ｙｅｓ）、画像表示装置１０は、表示中のフレームと紐付けられた画像（紐付き先の画像）を検索する（ステップＳ１０４）。つまり、表示中のフレームに付与されたタグと同じタグが付与された静止画、又は動画内のフレームを検索する。
【００４５】
続くステップＳ１０５において、画像表示装置１０は、紐付き先の画像が、現在表示中の画像（動画）ファイル内に含まれるか否かを判定する。紐付き先の画像が現在表示中の画像ファイル内に含まれない場合（ステップＳ１０５：Ｎｏ）、画像表示装置１０は、紐付き先の画像を含む画像ファイルを開く（ステップＳ１０６）。なお、画像ファイルがサーバに保存されている場合には、サーバから画像ファイルを読み込む。
【００４６】
続いて、画像表示装置１０は、現在表示中の画像（フレーム）に付与されているタグを画面に表示する（ステップＳ１０７）。或いは、タグの代わりに、タグが付与されている旨を示すアイコンやテキストを表示しても良い。例えば図７に示すシーンＩm（１）、Ｉm（２）、Ｉm（３）には、タグが付与されている旨を示すアイコンＴ１〜Ｔ３が表示されている。
【００４７】
続くステップＳ１０８において、画像表示装置１０は、表示されたタグ（又はアイコンやテキスト）が選択されたか否かを判定する。詳細には、表示されたタグに対し、操作入力部１３を用いた所定のポインタ操作（クリック操作等）がなされた場合に、タグが選択されたと判定される。
【００４８】
表示されたタグ（又はアイコンやテキスト）が選択されなかった場合（ステップＳ１０８：Ｎｏ）、処理はステップＳ１１９に移行する。例えば、図７に示すシーンＩm（１）に表示されたアイコンＴ１が選択されなかった場合、画像の表示を終了する判断がなされなければ（ステップＳ１１９：Ｎｏ）、動画はそのまま再生され（ステップＳ１００）、シーンＩm（２）、シーンＩm（３）等が連続的に表示される。
【００４９】
他方、表示されたタグ（又はアイコンやテキスト）が選択された場合（ステップＳ１０８：Ｙｅｓ）、画像表示装置１０は、現在表示中の動画の再生を一時停止させる（ステップＳ１０９）。
【００５０】
続くステップＳ１１０において、画像表示装置１０は、一時停止させた動画における表示範囲Ｖの状態を表す状態情報を取得し、履歴情報として記憶する。即ち、図３Ｂに示すように、画像の基準座標Ｐ２に対する表示範囲Ｖの基準点Ｐ３の変位、即ち、ベクトルｕ’の向きの変化（Δφ，Δθ）を記憶する。
【００５１】
続くステップＳ１１１において、画像表示装置１０は、ステップＳ１０６において開いた画像ファイルが動画であるか否かを判定する。画像ファイルが動画でない場合、即ち静止画である場合（ステップＳ１１１：Ｎｏ）、画像表示装置１０は、当該画像ファイルをもとに、表示部１２に静止画を表示させる（ステップＳ１１２）。
【００５２】
例えば図７に示すＬＤＫのシーンＩm（２）に表示されたアイコンＴ２が選択された場合（ステップＳ１０８参照）、シーンＩm（２）の状態情報が記憶された上で（ステップＳ１０９参照）、図８に示すように、ＬＤＫの静止画Ｉs（Ａ）が表示部１２に表示される。この静止画Ｉs（Ａ）には、静止画Ｉs（Ａ）と紐づけられたさらに別の画像を表示させる指示を入力するためのアイコンＴ１１〜Ｔ１５と、直前の画像に戻る指示を入力するためのリターンマークＴＲ１とが表示されている。これらのアイコンＴ１１〜Ｔ１５のいずれかに対する操作入力部１３を用いたポインタ操作により、操作されたアイコンに応じた静止画が表示部１２に表示される。例えば、アイコンＴ１１を選択する操作が行われると、図９に示す静止画Ｉs（Ｂ）が表示部１２に表示される。この静止画Ｉs（Ｂ）にも、アイコンＴ２１〜Ｔ２４やリターンマークＴＲ２が表示されている。
【００５３】
続くステップＳ１１３において、画像表示装置１０は、静止画が表示された画面に終了タグを表示させる。この終了タグは、静止画の表示を終了して、動画の再生を再開する指示を入力するためのものである。
【００５４】
続くステップＳ１１４において、画像表示装置１０は、直前に表示されていた画像に戻る指示が入力されたか否かを判定する。例えば、図８において、画面に表示されたリターンマークＴＲ１に対する操作入力部１３を用いたポインタ操作が行われた場合、直前の画像に戻る指示が入力されたと判定する。直前の画像に戻る指示が入力された場合（ステップＳ１１４：Ｙｅｓ）、処理は後述するステップＳ１３０に移行する。他方、直前の画像に戻る指示が入力されない場合（ステップＳ１１４：Ｎｏ）、処理はステップＳ１１５に移行する。
【００５５】
ステップＳ１１５において、画像表示装置１０は、ステップＳ１１３において表示された終了タグが選択されたか否かを判定する。タグが選択されたか否かの判定方法は、ステップＳ１０８と同様である。
【００５６】
終了タグが選択されなかった場合（ステップＳ１１５：Ｎｏ）、処理はステップＳ１１２に戻る。この場合、同じ静止画が表示され続ける。他方、終了タグが選択された場合（ステップＳ１１５：Ｙｅｓ）、画像表示装置１０は、静止画を非表示とし（ステップＳ１１６）、その後、処理はステップＳ１１９に移行する。
【００５７】
また、ステップＳ１０６において開いた画像ファイルが動画である場合（ステップＳ１１１：Ｙｅｓ）、画像表示装置１０は、開いた画像ファイルのうち、ステップＳ１０８で選択されたタグと紐付けられたフレームにジャンプする（ステップＳ１１７）。そして、表示部１２における表示を、紐付き先の動画に切り替える（ステップＳ１１８）。その後、画像の表示を終了する判断がなされなければ（ステップＳ１１９：Ｎｏ）、ジャンプしたフレームから動画の再生が開始される（ステップＳ１００）。例えば、図２に示す動画ＩAのフレームＩA(t1)〜ＩA(t1+5)の再生中に表示されたタグＴ01が選択された場合、同じタグＴ01が付与された動画ＩBの冒頭のフレームＩB(1)にジャンプして動画が再生される。
【００５８】
また、ステップＳ１０５において、表示中のフレームの紐付き先の画像が、表示中の画像（動画）ファイルに含まれる場合（ステップＳ１０５：Ｙｅｓ）、画像表示装置１０は、表示中の画像（フレーム）に付与されているタグを画面に表示する（ステップＳ１２０）。
【００５９】
続くステップＳ１２１において、画像表示装置１０は、表示されたタグが選択されたか否かを判定する。タグが選択されたか否かの判定方法は、ステップＳ１０８と同様である。
【００６０】
タグが選択された場合（ステップＳ１２１：Ｙｅｓ）、画像表示装置１０は、紐付き先のフレームにスキップする（ステップＳ１２２）。その後、処理はステップＳ１００に移行し、スキップしたフレームから動画の再生が開始される。例えば、図２に示す動画ＩAのフレームＩA(t2)〜ＩA(t2+2)の表示中に画面に表示されたタグＴ02が選択された場合、同じタグＴ02が付与された動画ＩAのフレームＩA(t4)にスキップして動画が再生される。他方、タグが選択されない場合（ステップＳ１２１：Ｎｏ）、処理はステップＳ１００に戻る。
【００６１】
ステップＳ１０２又はＳ１１４において、直前の画像に戻る指示が入力された場合（ステップＳ１０２、Ｓ１１４：Ｙｅｓ）、画像表示装置１０は、ステップＳ１１０において記憶された履歴情報から、直前に表示されていた画像（戻り先の画像）の画像識別情報及び状態情報を取得する（図５のステップＳ１３０）。
【００６２】
続くステップＳ１３１において、画像表示装置１０は、履歴情報のうちの画像識別情報に基づいて、戻り先の画像が動画であるか否かを判定する。戻り先の画像が動画でない場合、即ち静止画である場合（ステップＳ１３１：Ｎｏ）、画像表示装置１０は、戻り先の静止画の画像ファイルを開く（ステップＳ１３２）。例えば、図９に示す静止画Ｉs（Ｂ）が表示されている画面において、リターンマークＴＲ２が選択された場合、その直前に表示されていた静止画Ｉs（Ａ）の画像ファイルが開かれる。
【００６３】
続くステップＳ１３３において、画像表示装置１０は、履歴情報のうちの状態情報に基づいて、戻り先の画像における表示範囲Ｖを設定する。例えば、図３Ｂに示すように、ベクトルｕ’の向きの変化がΔφの状態で、別の画像に表示が切り替えられ、その後、直前に表示されていた画像の表示に戻る指示が入力された場合、初期設定に対するベクトルｕ’の向きの変化が再びΔφとなるように表示範囲Ｖが設定される。
【００６４】
続くステップＳ１３４において、画像表示装置１０は、現在表示されている静止画を非表示とする。その後、処理はステップＳ１１２に移行し、戻り先の静止画が、画像の切替前の状態で表示される（図８参照）。
【００６５】
また、ステップＳ１３１において、戻り先の画像が動画であると判定された場合（ステップＳ１３１：Ｙｅｓ）、画像表示装置１０は、戻り先の動画における再生時間（フレーム）にジャンプする（ステップＳ１３５）。例えば、図８に示す静止画Ｉs（Ａ）が表示されている画面において、リターンマークＴＲ１が選択された場合、その直前に表示されていた動画のシーンＩm（２）（図７参照）にジャンプする。
【００６６】
続くステップＳ１３６において、画像表示装置１０は、戻り先の動画に表示を切り替える。さらに、ステップＳ１３７において、画像表示装置１０は、履歴情報のうちの状態情報に基づいて、戻り先の画像における表示範囲Ｖを設定する。表示範囲Ｖの設定方法は、ステップＳ１３３と同様である。その後、処理はステップＳ１００に移行し、戻り先の動画の再生が開始される（図７参照）。
【００６７】
以上説明したように、本発明の第１の実施形態によれば、表示部１２に表示させる画像を切り替える指示が入力された際に、表示中の画像の表示範囲Ｖの状態を表す状態情報を記憶し、画像の切り替え後、直前に表示されていた画像に戻る指示が入力された際に、記憶された状態情報に基づいて表示範囲Ｖを設定するので、ユーザは、見覚えのある画面から、戸惑うことなく、自然な感覚で画像の鑑賞を続けることができる。
【００６８】
（第２の実施形態）
図１０は、本発明の第２の実施形態に係る画像表示装置の概略構成を示すブロック図である。図１１は、本実施形態に係る画像表示装置をユーザに装着させた状態を示す模式図である。図１２は、本実施形態に係る画像表示装置に表示される画面の一例を示す模式図である。
【００６９】
本実施形態に係る画像表示装置２０は、例えば、スマートフォンや携帯型ゲーム機など小型の端末装置によって構成される。図１１に示すように、画像表示装置２０は、ゴーグル型のホルダー２に取り付けられ、ユーザ１の頭部に装着して用いられる。或いは、画像表示装置とホルダーが一体化された専用装置（所謂ヘッドマウントディスプレイ）を画像表示装置２０として用いても良い。本実施形態に係る画像表示装置２０は、画面に表示される画像（動画又は静止画）をユーザ１に立体視させると共に、ユーザ１の頭部の動きに合わせて画面に表示される画像を変化させることにより、仮想的な空間に入り込んだ感覚をユーザ１に体験させる所謂ＶＲ用の表示装置である。
【００７０】
図１０に示すように、画像表示装置２０は、通信インタフェース２１と、表示部２２と、操作入力部２３と、センサ部２４と、撮影部２５と、記憶部２６と、プロセッサ２７とを備える。これらのうち、通信インタフェース２１、表示部２２、操作入力部２３、記憶部２６、及びプロセッサ２７のハードウェアの構成は、図１に示す通信インタフェース１１、表示部１２、操作入力部１３、撮影部２５、記憶部２６、及びプロセッサ２７の構成とそれぞれ同様である。また、操作入力部２３としては、操作ボタンや表示部１２に設けられたタッチセンサに加え、画像表示装置２０本体と無線接続されるリモートコントローラを用いても良い。
【００７１】
センサ部２４は、ジャイロセンサ及び加速度センサ等の各種センサを含み、画像表示装置２０の向きや動きを検出し、検出信号をプロセッサ２７に入力する。つまり、センサ部２４は、ユーザの動作に応じた情報を入力する情報入力部として機能する。
【００７２】
撮影部２５は、スマートフォン等の端末装置に内蔵されたカメラである。
記憶部２６は、図１に示す記憶部１４と同様に、プログラム記憶部２６１と、画像データ記憶部２６２と、履歴情報記憶部２６３とを有する。
【００７３】
プロセッサ２７が実行する機能部としては、姿勢情報取得部２７１と、指示受付部２７２と、表示制御部２７３とが含まれる。
姿勢情報取得部２７１は、センサ部２４から入力された検出信号に基づいて、画像表示装置２０の向きや姿勢を表す情報（以下、姿勢情報という）を取得する。画像表示装置２０の向きや姿勢は、画像表示装置２０を装着したユーザ１の頭部の向きや姿勢、言い換えると、ユーザ１の視線方向を表す。
【００７４】
指示受付部２７２は、操作入力部２３から入力される信号を受け付け、該信号に応じた指示を表示制御部２７３に入力する。
表示制御部２７３は、表示範囲設定部２７４と、画像切替部２７５と、タグ表示設定部２７６とを含む。
【００７５】
表示範囲設定部２７４は、姿勢情報取得部２７１が取得した姿勢情報に基づいて、表示部２２に表示させる表示範囲Ｖ（図３Ａ及び図３Ｂ参照）を設定する。詳細には、ユーザ１の視線方向ｕの変化に合わせて基準点Ｐ３を移動させることにより、表示範囲Ｖを設定する。
【００７６】
画像切替部２７５及びタグ表示設定部２７６の動作は、図１に示す画像切替部１５４及びタグ表示設定部１５５の動作と同様である。
【００７７】
図１１に示すホルダー２の内部には、ユーザ１の左右の眼に対応する位置に２つのレンズがそれぞれ取り付けられている。ユーザ１に画像を立体視させる場合には、図１２に示すように、表示部２２内の２つの領域２２ａ、２２ｂに、視差が設けられた２つの画像をそれぞれ表示させる。ユーザ１は、ホルダー２内の２つのレンズを通して領域２２ａ、２２ｂを見ることにより、領域２２ａ、２２ｂに映った画像を３次元的に認識することができる。
【００７８】
このような画像表示装置２０の動作は、全体として、第１の実施形態（図４及び図５参照）と同様である。表示部２２に表示されたタグやリターンマーク等の選択は、例えばリモートコントローラを用いて行っても良い。或いは、撮影部２５を起動して、ユーザ１のジェスチャを映像として取り込み、表示部２２に表示された画像に重畳表示することにより、ジェスチャでタグ等の選択操作を行えるようにしても良い。
【００７９】
（変形例）
上記第１及び第２の実施形態においては、表示部に表示中の画像（静止画又は動画）に付与されているタグや、タグが付与されていることを示すアイコンを当該画像に重畳表示し、タグ又はアイコンを選択する操作がなされた場合に、当該タグにより紐付けられた別の画像に表示を切り替えることとした。しかしながら、表示部に表示させる画像を切り替えるための操作はこれに限定されない。
【００８０】
例えば、動画再生の進行状況を表すタイムバーを表示部に表示し、タイムバー上の所望の位置を選択する操作に応じて、動画の再生箇所（フレーム）を切り替えるようにしても良い。或いは、表示部に表示中の画像と関連する画像のサムネイルの一覧を画面の一部に表示し、サムネイルを選択する操作に応じて、サムネイルが選択された画像に表示を切り替えることとしても良い。表示するサムネイルとしては、動画の表示中であれば、当該動画内のフレームのいずれかと紐付けられた静止画や別の動画のサムネイルであっても良いし、同じ動画内の各フレームのサムネイルであっても良い。また、静止画の表示中であれば、他の静止画のサムネイルであっても良いし、当該静止画と紐付けられた動画内のフレームのサムネイルであっても良い。
【００８１】
画像表示装置に対して、表示部に表示させる画像を切り替える操作（例えば、画面に表示されたタイムバー上の１点をタップする操作や、サムネイルをタップする操作）がなされると、画像表示装置は、それまで表示していた画像（又はフレーム）の履歴情報（画像識別情報及び状態情報）を記憶した上で、表示部に表示する画像を切り替える。その後、表示部に表示させる画像を直前の画像に戻す操作がなされると、画像表示装置は、記憶している履歴情報に基づいて画像の表示範囲（図３Ｂ参照）を設定し、直前の画像を表示する。或いは、画像表示装置に対して画像を切り替える操作がなされた際に、画像表示装置が切り替え先の画像（サムネイルが選択された画像など）に関する履歴情報を既に記憶していた場合、画像表示装置は、この履歴情報に基づいて表示範囲を設定し、切り替え先の画像を表示する。後者の場合、直前に表示されていた画像に限らず、しばらく前に表示されていた画像にジャンプして戻る場合であっても、該画像の履歴情報に基づいて表示範囲が設定されるので、ユーザは、見覚えのある画面を目にすることができ、戸惑うことなく画像の鑑賞を続けることができる。
【００８２】
本発明は、上記第１及び第２の実施形態並びに変形例に限定されるものではなく、上記第１及び第２の実施形態並びに変形例に開示されている複数の構成要素を適宜組み合わせることによって、種々の発明を形成することができる。例えば、上記第１及び第２の実施形態並びに変形例に示した全構成要素からいくつかの構成要素を除外して形成しても良いし、上記第１及び第２の実施形態並びに変形例に示した構成要素を適宜組み合わせて形成しても良い。
【符号の説明】
【００８３】
１  ユーザ
２  ホルダー
１０、２０  画像表示装置
１１、２１  通信インタフェース
１２、２２  表示部
１３、２３  操作入力部
１４、２６  記憶部
１５、２７  プロセッサ
２２ａ、２２ｂ  領域
２４  センサ部
２５  撮影部
１４１、２６１  プログラム記憶部
１４２、２６２  画像データ記憶部
１４３、２６３  履歴情報記憶部
１５１、２７２  指示受付部
１５２、２７３  表示制御部
１５３、２７４  表示範囲設定部
１５４、２７５  画像切替部
１５５、２７６  タグ表示設定部
２７１  姿勢情報取得部
【図１】
0006621165.tif 000002
【図２】
0006621165.tif 000003
【図３Ａ】
0006621165.tif 000004
【図３Ｂ】
0006621165.tif 000005
【図４】
0006621165.tif 000006
【図５】
0006621165.tif 000007
【図６】
0006621165.tif 000008
【図７】
0006621165.tif 000009
【図８】
0006621165.tif 000010
【図９】
0006621165.tif 000011
【図１０】
0006621165.tif 000012
【図１１】
0006621165.tif 000013
【図１２】
0006621165.tif 000014